(57)【特許請求の範囲】
【請求項１】
柱と床梁と天井梁を箱形に接合した建物ユニットを隣接設置して構築され、
複数の柱省略建物ユニットそれぞれに定めた少なくとも１個の柱省略コーナー部を柱省略接合部にて互いに突き合せ配置し、柱省略接合部の一方側の柱省略建物ユニットの天井梁側から、他方側の柱省略建物ユニットの天井梁側に渡る補強梁を設け、補強梁の中央部には、前記複数の柱省略建物ユニットの各柱省略コーナー部が接続されてなり、補強梁の上端部を天井梁の上に突出してなるユニット建物において、
天井梁の下部に天井を支持するとともに、補強梁の上部に屋根を支持し、天井と屋根の間を配管類設置空間とするものであり、
補強梁がＬ形鋼からなり、
補強梁のＬ形鋼の成の高さを天井梁の成の高さより高くし、補強梁のＬ形鋼のウエブの下端側部分を天井梁の側部にボルト接合し、補強梁の天井梁より上に突出するＬ形鋼の上フランジに支持フレームを取付け、支持フレームの上面に屋根受け金具を取付け、屋根受け金具に屋根材を取付けることを特徴とするユニット建物。
【請求項２】
前記柱省略建物ユニットの天井梁に庇フレームが固定されて立設され、庇フレームの中間部が振れ止め材を介して、補強梁のＬ形鋼の上フランジに連結されてなる請求項１に記載のユニット建物。
【発明の詳細な説明】
【技術分野】
【０００１】
本発明はユニット建物に関する。
【背景技術】
【０００２】
ユニット建物において、特許文献１に記載の如く、１階建物ユニットの柱上部と２階建物ユニットの柱下部の間に接続金物を介装し、１階の天井と２階の床の間に空調用ダクト、上下水道管、ガス管、電気配線等の配管類設置空間を形成するものがある。
【特許文献１】特開平5-25860
【発明の開示】
【発明が解決しようとする課題】
【０００３】
ユニット建物において、建物ユニットの上に屋根を設けるに際し、天井と屋根の間に十分な配管類設置空間を形成するため、建物ユニットの柱上部に特許文献１の如くの接続金物を設け、この接続金物の上に屋根を構築することが考えられる。例えば、接続金物の上に支持フレームを取付け、支持フレームに屋根受け金具を取付け、屋根受け金具に屋根を取付ける等である。
【０００４】
しかしながら、特許文献１の如くの接続金物を用いるユニット建物にあっては、天井と屋根の間に十分な配管類設置空間を形成するだけのために専用の接続金物を必要とするものになり、ユニット建物の部品数、組立工数が増大し、コスト高になる。
【０００５】
本発明の課題は、ユニット建物において、簡易な構成により、天井と屋根の間に十分な配管類設置空間を形成することにある。
【課題を解決するための手段】
【０００６】
請求項１の発明は、柱と床梁と天井梁を箱形に接合した建物ユニットを隣接設置して構築され、複数の柱省略建物ユニットそれぞれに定めた少なくとも１個の柱省略コーナー部を柱省略接合部にて互いに突き合せ配置し、柱省略接合部の一方側の柱省略建物ユニットの天井梁側から、他方側の柱省略建物ユニットの天井梁側に渡る補強梁を設け、補強梁の中央部には、前記複数の柱省略建物ユニットの各柱省略コーナー部が接続されてなり、補強梁の上端部を天井梁の上に突出してなるユニット建物において、天井梁の下部に天井を支持するとともに、補強梁の上部に屋根を支持し、天井と屋根の間を配管類設置空間とするものであり、補強梁がＬ形鋼からなり、補強梁のＬ形鋼の成の高さを天井梁の成の高さより高くし、補強梁のＬ形鋼のウエブの下端側部分を天井梁の側部にボルト接合し、補強梁の天井梁より上に突出するＬ形鋼の上フランジに支持フレームを取付け、支持フレームの上面に屋根受け金具を取付け、屋根受け金具に屋根材を取付けるようにしたものである。
【０００７】
請求項２の発明は、請求項１の発明において更に、前記柱省略建物ユニットの天井梁に庇フレームが固定されて立設され、庇フレームの中間部が振れ止め材を介して、補強梁のＬ形鋼の上フランジに連結されてなるようにしたものである。
【発明の効果】
【０００８】
(a)建物ユニットの柱省略のための補強梁の上端部を天井梁の上に突出し、この補強梁の上部に屋根を構築することにより、天井梁の上に対する補強梁の突出分だけ屋根の高さ嵩上げし、天井と屋根の間に十分な配管類設置空間を形成できるし、配管類のメンテナンスも容易になる。建物ユニットの柱省略のための補強梁を配管類設置空間の形成のために兼用するものになり、ユニット建物の部品数、組立工数を格別増大することなく、コスト低減できる。
【０００９】
(b)上述(a)の補強梁の上フランジに支持フレームを取付け、支持フレームに屋根受け金具を取付け、屋根受け金具に屋根を取付けることにより、柱省略しない標準的な建物ユニットの上に屋根を構築するときの標準品たる支持フレーム、屋根受け金具を用いながら、上述(a)の柱省略した建物ユニットの天井と屋根の間に十分な配管類設置空間を形成できる。
【発明を実施するための最良の形態】
【００１０】
図１はユニット建物を示す模式平面図、図２はユニット建物を示す一側面図、図３は図２のIII−III線に沿う断面図、図４は図３のIV−IV線に沿う矢視図、図５は建物ユニットを示し、（Ａ）は標準建物ユニットを示す斜視図、（Ｂ）は柱省略建物ユニットを示す斜視図、図６は４個の柱省略建物ユニットへの補強梁の適用過程を示す斜視図、図７は柱と天井梁と補強梁の接合状態を示す側面図、図８は補強梁の端部接合構造を示す斜視図、図９は補強梁の中央部接合構造を示す斜視図、図１０は図３の天井裏拡大図、図１１は図１０のXI−XI線に沿う断面図である。
【実施例】
【００１１】
店舗（住宅でも可）等を構成するユニット建物１０は、図１〜図４に示す如く、工場生産した複数の標準建物ユニット１１（本実施例では柱省略建物ユニット１１Ａ）を建築現場に輸送し、予め設置してある基礎１２の上にて隣接設置して構築される。
【００１２】
建物ユニット１１は、標準的には、図５（Ａ）に示す如く、４本の角鋼管製柱２１と、４本の型鋼製床梁２２と、４本の型鋼製天井梁２３とを箱形に接合した骨組構造体である。建物ユニット１１は、４個のコーナー部で、相交差する床梁２２をジョイントピース２２Ａにより柱２１の下端部に接続し、相交差する天井梁２３をジョイントピース２３Ａにより柱２１の上端部に接合して構成される。
【００１３】
柱省略建物ユニット１１Ａは、図５（Ｂ）に示す如く、標準的建物ユニット１１の４本の柱２１のうちの１本の柱２１を省略したものである。柱省略建物ユニット１１Ａは、柱省略コーナー部以外の３個のコーナー部では、相交差する床梁２２をジョイントピース２２Ａにより柱２１の下端部に接合し、相交差する天井梁２３をジョイントピース２３Ａにより柱２１の上端部に接合するとともに、柱省略コーナー部では、相交差する床梁２２をジョイントピース２２Ｂにより短柱２４に接合し、相交差する天井梁２３をジョイントピース２３Ｂにより短柱２５に接合して構成される。そして、柱省略建物ユニット１１Ａでは、柱省略コーナー部に仮柱２６を着脱自在としている。仮柱２６は、ボルト、ピン等の着脱手段により、上述の短柱２４と短柱２５とに着脱自在に結合される。
【００１４】
ユニット建物１０は、図１に示す如く、各列各２個、全３列全６個の柱省略建物ユニット１１Ａからなり、図１の一方側で相隣る２列４個の柱省略建物ユニット１１Ａそれぞれの柱省略コーナー部を柱省略接合部１３Ａにて互いに突き合せ配置するとともに、図１の他方側で相隣る２列４個の柱省略建物ユニット１１Ａそれぞれの柱省略コーナー部を柱省略接合部１３Ｂにて互いに突き合せ配置し、それら全６個の柱省略建物ユニット１１Ａによって柱２１に遮られることのない広く連続した店舗空間を形成するものとしている。
【００１５】
ユニット建物１０において、柱省略接合部１３Ａの側（柱省略接合部１３Ｂの側も同じ）で互いに突き合せ配置される４個の柱省略建物ユニット１１Ａの接合構造について説明する。
【００１６】
４個の柱省略建物ユニット１１Ａの柱省略接合部１３Ａは、図１、図３、図４、図６に示す如く、補強梁３０により補強される。補強梁３０は、長尺Ｌ形鋼からなり、図７に示す如く、柱省略接合部１３Ａの左右の一方側にて相隣る２個の建物ユニット１１Ａの天井梁２３、２３の間から、左右の他方側にて相隣る他の２個の建物ユニット１１Ａの天井梁２３、２３の間に渡り、Ｌ形鋼のウエブ３０Ａをそれらの天井梁２３、２３の間に挿入して設けられる。
【００１７】
補強梁３０の両端部は、図７、図８に示す如く、柱省略接合部１３Ａの左右の一方側にて相隣る２個の建物ユニット１１Ａの各柱２１と、柱省略接合部１３Ａの他方側にて相隣る２個の建物ユニット１１Ａの各柱２１のそれぞれに接続される。このとき、補強梁３０の両端部は、高力ボルト３１を用いた天井梁２３、ジョイントピース２３Ａ、スペーサ３１Ａ、座金プレート３１Ｂとの高力ボルト接合（摩擦接合）を介して柱２１に接続される（図１１）。
【００１８】
補強梁３０の中央部には、図７、図９に示す如く、４個の建物ユニット１１Ａの各柱省略コーナー部が接続される。このとき、補強梁３０の中央部は、高力ボルト３２を用いた天井梁２３、ジョイントピース２３Ｂ、スペーサ３２Ａ（不図示）、座金プレート３２Ｂ（不図示）との接合を介して短柱２５に接続される。
【００１９】
補強梁３０が上述の如くにより柱２１、短柱２５に接続されるとき、各建物ユニット１１Ａの柱省略コーナー部には短柱２５に着脱自在の仮柱２６が未だ接合されている。そして、補強梁３０が柱２１、短柱２５に接続完了した後、仮柱２６は短柱２５から取外される。
【００２０】
ユニット建物１０は、図１０、図１１に示す如く、４個の柱省略建物ユニット１１Ａを補強している補強梁３０の成の高さをそれら柱省略建物ユニット１１Ａの天井梁２３の成の高さより高くし、補強梁３０の下端部を天井梁２３の下端部に概ね合致させ、補強梁３０の上端部を天井梁２３の上端部の上に突出させている。そして、天井梁２３の下部に天井４０を支持するとともに、補強梁３０の上部に屋根５０を支持する。
【００２１】
天井４０は、天井梁２３の下フランジに天井根太４１を固定し、天井根太４１の下面に天井板４２を固定する。
【００２２】
ユニット建物１０の外周に沿う柱省略建物ユニット１１Ａの天井梁２３の上フランジには庇フレーム５１が固定されて立設され、庇フレーム５１の外面には外壁５２が取付けられ、庇フレーム５１の上端部には笠木５３が取付けられる。庇フレーム５１の中間部は、振れ止め材５４を介して、補強梁３０のＬ形鋼の上フランジ３０Ｂに連結される。屋根５０は、補強梁３０の上フランジ３０Ｂの長手方向に所定間隔をなす複数位置に支持フレーム５５を取付け、各支持フレーム５５の上面の所定間隔をなす複数位置に屋根受け金具５６を取付け、各支持フレーム５５の屋根受け金具５６に折半屋根材５７の下面凹部が嵌着固定される。
【００２３】
ユニット建物１０にあっては、天井４０と屋根５０の間、具体的には天井板４２と屋根材５７の間を配管類設置空間６０として用いる。配管類設置空間６０には例えば空調用ダクト６１が延在される。ダクト６１の一端は天井板４２を貫通して室内の換気フード等に接続され、ダクト６１の他端は外壁５２を貫通して室外の換気装置等に接続される。本実施例のユニット建物１０は店舗を構成するため、ユニット建物１０の正面を除く両側面と背面の外壁５２だけにダクト６１の他端を開口している（図１）。
【００２４】
ユニット建物１０にあっては、配管類設置空間６０に、上下水道管、ガス管、電気配線等を設置できる。
【００２５】
本実施例によれば以下の作用効果を奏する。
(a)建物ユニット１１Ａの柱省略のための補強梁３０の上端部を天井梁２３の上に突出し、この補強梁３０の上部に屋根５０を構築することにより、天井梁２３の上に対する補強梁３０の突出分だけ屋根５０の高さを嵩上げし、天井４０と屋根５０の間に十分な配管類設置空間６０を形成できるし、配管類のメンテナンスも容易になる。建物ユニット１１Ａの柱省略のための補強梁３０を配管類設置空間６０の形成のために兼用するものになり、ユニット建物１０の部品数、組立工数を格別増大することなく、コスト低減できる。
【００２６】
(b)上述(a)の補強梁３０の上フランジ３０Ｂに支持フレーム５５を取付け、支持フレーム５５に屋根受け金具５６を取付け、屋根受け金具５６に屋根５０を取付けることにより、柱省略しない標準的な建物ユニット１１の上に屋根５０を構築するときの標準品たる支持フレーム５５、屋根受け金具５６を用いながら、上述(a)の柱省略した建物ユニット１１Ａの天井４０と屋根５０の間に十分な配管類設置空間６０を形成できる。
【００２７】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００２８】
【図１】図１はユニット建物を示す模式平面図である。
【図２】図２はユニット建物を示す一側面図である。
【図３】図３は図２のIII−III線に沿う断面図である。
【図４】図４は図３のIV−IV線に沿う矢視図である。
【図５】図５は建物ユニットを示し、（Ａ）は標準建物ユニットを示す斜視図、（Ｂ）は柱省略建物ユニットを示す斜視図である。
【図６】図６は４個の柱省略建物ユニットへの補強梁の適用過程を示す斜視図である。
【図７】図７は柱と天井梁と補強梁の接合状態を示す側面図である。
【図８】図８は補強梁の端部接合構造を示す斜視図である。
【図９】図９は補強梁の中央部接合構造を示す斜視図である。
【図１０】図１０は図３の天井裏拡大図である。
【図１１】図１１は図１０のXI−XI線に沿う断面図である。
【符号の説明】
【００２９】
１０  ユニット建物
１１  建物ユニット
１１Ａ  柱省略建物ユニット
１３Ａ、１３Ｂ  柱省略接合部
２１  柱
２２  床梁
２３  天井梁
３０  補強梁
３１  高力ボルト
４０  天井
５０  屋根
５１  庇フレーム
５４  振れ止め材
５５  支持フレーム
５６  屋根受け金具
５７  屋根材
６０  配管類設置空間
【図１】
0004804868.tif 000002
【図２】
0004804868.tif 000003
【図３】
0004804868.tif 000004
【図４】
0004804868.tif 000005
【図５】
0004804868.tif 000006
【図６】
0004804868.tif 000007
【図７】
0004804868.tif 000008
【図８】
0004804868.tif 000009
【図９】
0004804868.tif 000010
【図１０】
0004804868.tif 000011
【図１１】
0004804868.tif 000012